(57)【要約】【課題】移動させることを手軽に且つ電源コードの巻き込みを起こすことなく行えるものとする。【解決手段】使用者が着座して乗るシート２と、該シートに揺動運動を行わせる駆動部３とを備える。駆動部が設けられた本体部はその下部に前後方向に長く且つ接地脚１５を有しているベース部を備え、該ベース部はその長手方向の一端に移動時のためのキャスター１６が配されに、他端側に電源コード導出部を備える。電源コードが導出されている側を持ち上げて移動させることになるために、電源コードが巻き込まれてしまうことがない。【選択図】図１
2009077829.tif 000002
【特許請求の範囲】
【請求項１】
使用者が着座して乗るシートと、該シートに揺動運動を行わせる駆動部とを備えた揺動型運動装置において、上記駆動部に配されている本体部はその下部に前後方向に長く且つ接地部を有しているベース部を備えており、該ベース部はその長手方向の一端に移動時のためのキャスターが配されているとともに、長手方向の他端側に電源コード導出部を備えていることを特徴とする揺動型運動装置。
【発明の詳細な説明】
【技術分野】
【０００１】
本発明は、使用者が着座したシートを揺動させて使用者に乗馬を模した運動負荷を付与する揺動型運動装置に関する。
【背景技術】
【０００２】
乗馬を模した運動負荷を使用者に付与する揺動型運動装置は、子供から老人まで利用可能な手軽な運動器具として、当初のリハビリ目的の医療施設から一般家庭へと普及してきている。この揺動型運動装置の典型的な従来技術として、特許文献１，２がある。
【０００３】
特許文献１は６軸パラレルメカニズムなどを用いて、一連の滑らかな揺動パターンを実現するようにした腰痛予防訓練装置を示したものであり、特許文献２はモータとリンクとで前後揺動及び左右揺動を実現するようにしたものである。
【０００４】
このような揺動駆動装置は、使用時には安定した状態で接地させておくことができ、移動させたい時には全体を持ち上げなくてもすむようにするために、接地部を有している本体のベース部の一端側に移動時のためのキャスターを配置し、ベース部の他端側を少し持ち上げて接地部を床面から浮かせれば、キャスターのみが接地して楽に移動させることができるようにしている。
【０００５】
しかし、従来のこの種の揺動型運動装置では、上記キャスターを給電用の電源コードが導出されているベース部後端側に配置していたことから、ベース部前端を持ち上げた時、電源コードを接続したままであると電源コードの導出部近傍が床面に接してキャスターを利用した移動を妨げてしまったり、電源コードをキャスター部分に巻き込んでしまったりすることがある。もちろん、電源コードをベース部から抜いて移動させればこのような事態を招くことはないのであるが、少し移動させるだけの時にも一々電源コードを抜かなくてならないのは手間である。
【特許文献１】特許第３３９４８９０号明細書
【特許文献２】特開２００１−２８６５７８号公報
【発明の開示】
【発明が解決しようとする課題】
【０００６】
本発明は上記の従来の問題点に鑑みて発明したものであって、移動させることを手軽に且つ電源コードの巻き込みを起こすことなく行うことができる揺動型運動装置を提供することを課題とするものである。
【課題を解決するための手段】
【０００７】
上記課題を解決するために本発明に係る揺動型運動装置は、使用者が着座して乗るシートと、該シートに揺動運動を行わせる駆動部とを備えた揺動型運動装置において、上記駆動部に配されている本体部はその下部に前後方向に長く且つ接地部を有しているベース部を備えており、該ベース部はその長手方向の一端に移動時のためのキャスターが配されているとともに、長手方向の他端側に電源コード導出部を備えていることに特徴を有している。電源コードが導出されている側を持ち上げて移動させることになるために、電源コードが巻き込まれてしまうことがないものである。
【発明の効果】
【０００８】
本発明は、キャスターを利用した移動を行う際、ベース部の電源コードが導出されている側を持ち上げてキャスターを接地させるために、電源コードの導出部近傍が床面に接することがない上に、移動につれて電源コードがキャスター部分に巻き込まれてしまうというような事態を招くことがないものであり、また移動させるにあたって電源コードをベース部から抜く必要もないことから、移動させることを手軽に行うことができる。
【発明を実施するための最良の形態】
【０００９】
以下、本発明を添付図面に示す実施形態に基いて説明すると、図１〜図３に示す揺動型運動装置は、使用者が座るシート２を前後左右に揺動させることで、シート２に座った使用者にバランス訓練となる運動を行わせるもので、馬の背や鞍を模した形状となっているとともに上面が座面となっている上記シート２と、上部内に上記シート２の揺動駆動を行う駆動部３を納めた本体１とからなり、上記シート２の前端側には半円弧状で両端がシート２に前後に回動自在に連結された手綱６が配されているとともに、操作パネル８が設けられており、またシート２の前寄り両側からは夫々鐙７，７が吊り下げられている。
【００１０】
上記本体１は、図５に示すように、四隅に接地脚１５を備えたベースフレーム１１と、ベースフレーム１１のほぼ中央部から斜め後方に向けて立ち上がる支柱１２と、支柱１２に対して支柱１２の長手方向にスライド自在に取り付けられる支持フレーム１３と、支持フレーム１３の上記スライドを電動で行う電動スライドユニット１４とを備えたもので、ベースフレーム１１の上面を覆うベースカバー１６、支柱１２の周囲を覆うカバー１７、支持フレーム１３の外周を覆う主カバー１８等で外面が覆われている。
【００１１】
ここで、ベースフレーム１１は左右の側枠間を前後端及び前後方向中央で連結したものとして形成されているのであるが、支柱１２の後方側の側枠間に設けた取付板９２上に回路基板９を配置してある。また電源回路や上記駆動部３の駆動制御のための制御回路を実装した回路基板９の上方側には、保護プレート９１を配置し、この上にベースカバー１６が被せられるようにしてある。
【００１２】
またベースフレーム１１の後端面で且つ上記ベースカバー１６で上方が覆われる部分には電源コード９６が差し込み接続されるコネクターが位置することになる背面パネル９７が設置されており、電源コード９６はこの背面パネル９７のコネクターを通じて上記電源回路に接続される。
【００１３】
更には、ベースフレーム１１の前端側にはキャスター９５を取り付けてある。このキャスター９５は、上記接地脚１５が接地している時には床面から少しだけ浮いているものの、ベースフレーム１１の後端側を持ち上げた時に接地し、接地脚１５が床面から離れた時点で揺動型運動装置の移動を可能とする。
【００１４】
一方、シート２は図６に示すように、シート枠２０と、シート枠２０の上面に取り付けられる座面２１と、シート枠２０の下方側に連結されるカバー２２、シート枠２０の左右に取り付けられる保護カバー２３，２３、操作パネル８の周囲を覆うパネルカバー２４等で構成されている。
【００１５】
前記鐙７は、上記シート枠２０側面の鐙取付部２００に固定される固定片７１と、固定片７１から吊り下げられた連結片７２と、連結片７２から吊り下げられた足掛け片７０とからなるもので、上記保護カバー２３は連結片７２の固定片７１への連結軸部の外側方を覆ってシート２に座った使用者の膝部分が連結軸部に当たってしまうことを防ぐ。
【００１６】
次に駆動部３について説明する。この駆動部３は、図７〜図１０に示すように、箱形に形成された可動フレーム３０内に、モータ３１とこのモータ３１の回転を２つの出力軸３２，３３に伝えるギア群３４とを配置するとともに、可動フレーム３０の上方に位置する可動プレート４０を２種のリンクプレート４１，４２で可動フレーム３０に連結したもので、上記可動フレーム３０は、その前後の端面の軸受け部３００，３００が本体１における前記支持フレーム１３に図５に示す軸１３０，１３０で軸回りに回動自在に連結されることで、本体１に取り付けられる。
【００１７】
ここで、可動プレート４０の後端側に連結されるリンクプレート４１は、可動フレーム３０の後部側の側面に軸３０１で連結されたものであるのに対して、リンクプレート４２は可動フレーム３０内に配されて軸３０２によって可動フレーム３０に一端側が支持されている回動プレート３９の他端側に軸３０３によって支持されており、また、リンクプレート４２は可動プレート４０の前端側に伸縮アクチュエータ４５を介して連結されている。
【００１８】
そして、回転駆動される２つの出力軸３２，３３のうちの出力軸３２は、可動フレーム３０の外側面側に偏心部を位置させているとともに、この偏心部がリンク３５によって支持フレーム１３に連結されている。
【００１９】
他方の出力軸３３は、可動フレーム３０の外側面側に２つの偏心部３３ａ，３３ｂを位置させており、偏心量が小さい偏心部３３ａは上記リンクプレート４２に連結され、偏心量が大きい偏心部３３ｂは一端をリンクプレート４１に連結した連結リンク３６に連結されている。
【００２０】
上記２つの出力軸３２，３３のうち、リンク３５で支持フレーム１３に連結されている出力軸３２の偏心部の回転は、可動フレーム３０を軸１３０（図９中の前後に傾いた前後軸Ａ）の軸回りに往復回動させる。
【００２１】
また、他方の出力軸３３の偏心部３３ａの偏心回転はリンクプレート４２と伸縮アクチュエータ４５とを介して可動プレート４０の前端側を前後及び上下に揺らし、偏心部３３ｂの偏心回転は連結リンク３６とリンクプレート４１とを介して可動プレート４０の後端側を主として前後に揺らす。この時、リンクプレート４１と可動プレート４０との連結軸４０ａの前後の揺れの軌跡をＴ１、上記伸縮アクチュエータ４５と可動プレート４０との連結軸４０ｂの前後の揺れの軌跡をＴ２とする時、図９に示すように、両者のストロークは同じであるものの、上下成分が両軌跡Ｔ１，Ｔ２で異なるように設定されている。ちなみに上記軌跡Ｔ１はほぼ前後に動くだけのものとなっているが、上記軌跡Ｔ２はリンクプレート４２における軸３０３が軸４０ｂよりも後方にずれた位置にあるために、前後に加えて上下に動く成分が多くなっている。しかも、可動プレート４０の前端側の揺動駆動のための構成部品中に回動プレート３９があってリンクプレート４２の回動支点となる軸３０３の位置を回動プレート３９が上下させるために、軌跡Ｔ２は往路と帰路とで上下にずれたルートをとるものとなっている。
【００２２】
ここにおいて、前記シート２は、出力軸３２，３３の回転に伴って前後左右に揺動駆動されることになる上記可動プレート４０上にシート枠２０が固定されるものであり、このために可動プレート４０と共にシート２も前後左右の揺動を行うのであるが、左右の揺動の１サイクルの間に前後の揺動が２サイクル行われるように出力軸３２，３３の回転数を設定していることから、シート２の座面２１における左右方向中央で且つ前後方向において最も低くなっている中央点２１ａは、上記前後左右の揺動によって、図４(a)に示すように平面視で８の字を描くものとなっている。また、軌跡Ｔ１，Ｔ２の違いにより、図４(b)に示すように、上記中央点２１ａは前方へ沈み込み、浮き上がりながら後方に戻るという軌跡を描く。
【００２３】
しかも前述のようにシート２の後端側の軌跡Ｔ１は上下動成分が少ない前後動であり、シート２の前端側の軌跡Ｔ２は上下動成分が多い前後動となっていることから、シート２の上下の動きは後方側を支点として前端側が上下することで行われており、シート２に座った時にシート２の中央点にほぼ一致するところに重心を位置させる使用者は、自身よりも後方に位置するシート２の後端側を支点として前端側が上下する上記シート２の動きをより的確に感ずるものとなる。
【００２４】
また、図４はシート２の中央点の動きを所定時間間隔でプロットしたものであり、このために点の間隔が大であるところは速度が大、小さい間隔から大きな間隔に短時間に変化するところは加速度が大であることを示している。つまり、図４に示すものでは、前方への移動時の加速度が後退時の加速度よりも大となっている。これはシート２に座ってシート２の動きを受ける使用者にしてみれば、前に進んでいるという感覚を受けるものであり、このために実際の乗馬をしている感覚を得られるものである。
【００２５】
さらに、左右の揺動は可動プレート４０及び座面２１とほぼ平行な水平軸の軸回りにではなく、前側が後ろ側よりも下がった前後軸Ａの軸回りになされることから、可動プレート４０は前側も後ろ側も左右の揺動を同じ角度範囲で行うものの、上記前後軸Ａからの距離は後ろ側よりも前側が長くなっているために、可動プレート４０の前端側の左右移動ストロークが後端側の左右移動ストロークよりも大きくなっている。このために前後方向の揺動（ピッチ）と左右方向の揺動（ロール）が合成されて平面視で８の字となっている動きは、図４(a)に示すように、前方側での左右移動幅が後方側での左右移動幅よりも大きくなっている上に、前方斜め移動はシート２の前端側が斜め前方に捻れながらずれ動くというヨー成分を含んだものとなっている。
【００２６】
従って使用者がシート２に座ってシート２の上記動きを受ける時、使用者は上記ピッチ及びロールに加えてヨーの動きにも対応しなくてはバランスを保つことができないものであり、これ故にバランス訓練という点において、より有効なものとなっている。
【００２７】
駆動部３における伸縮アクチュエータ４５は、シート２の前後傾斜角を変更するために設けたもので、この伸縮アクチュエータ４５は、後述する操作パネル８に対する操作によって伸縮して前傾姿勢と水平姿勢と後傾姿勢とを切り換えられるようにするほか、上記の前後左右の揺動に連動する伸縮を行わせることで、上下動成分を増大させたり減少させたりするものであってもよい。
【００２８】
また、シート２の前後傾斜角を変更したならば、シート２を揺動させた時の使用者の各筋肉（腹筋・背筋・太もも前部筋肉・太もも後部筋肉）にかかる負荷も変化する。この変化を使用者が明確に把握することができるようにするために、ここでは後述するように操作パネル８に各筋肉への負荷具合を表示することができるようにしている。なお、上記負荷具合は、シート２の前後傾斜角の違いとモータ３１の速度の違いで各筋肉の筋電位がどのように変化するかのデータをとり、このデータを基に決定している。
【００２９】
ところで、使用者がシート２に座ってシート２の上記の動きを受ける時、使用者はその足先を鐙７にかけることで、また、手綱６を握ることで、より安全に揺動運動を受けることができるが、上記鐙７は、その連結片７２への足掛け片７０の連結点を上下に調節することができるようにしていることから、使用者の体格や好みに合わせた高さに鐙７をセットすることができる。
【００３０】
また、上記連結片７２は弾性材で形成して左右に撓み自在としているとともに、連結片７２の外側面に連結される足掛け片７０は図３中の右側の鐙７で示すように外側ほど高くなる傾斜αを持つ底片を持つものとして、外側にオフセットすることで足掛け片７０に足を掛けやすくしてある。そして鐙７の足掛け片７０に足先を掛けたならば、図３中の左側の鐙７に示すように、弾性を有する連結片７２が撓んで足掛け片７０が内側へ入り込むとともに足掛け片７０の底片が水平の状態となる。鐙７に足先を載せた時、足首や膝に無理な力がかかわらず、良い姿勢を維持することができる。
【００３１】
図１１はシート２の前端部に配した操作パネル８を示している。図中８０は電源スイッチ、８１は前述の電動スライドユニット１４を作動させることでシート２の高さを調整する高さ調整スイッチ、８２は伸縮アクチュエータ４５を作動させることでシート２の傾斜角度を調整するための角度調整スイッチ、８３は駆動部３のモータ３１の回転速度を変更することで揺動速度を調整する速度調整スイッチ、８４は使用者の体重値入力用のアップダウンスイッチ、８５は揺動動作を初心者向きのものに抑えるための動作モード選択スイッチ、８６は揺動動作による運動強度を切り換えるための動作モード切換スイッチ、８７は運動対象を切り換えるための運動対象切替スイッチ、８８は液晶パネルで構成されたディスプレーである。運動対象切替スイッチ８７を操作した時、伸縮アクチュエータ４５によってシート２の前後傾斜角がそれぞれに適した状態に切り換えられる。
【００３２】
上記ディスプレー８８は、シート２の傾斜状態の表示、速度調整状態の表示、動作時間の表示、運動強度の表示などのほか、算出した運動量（消費カロリー）の表示、伸縮アクチュエータ４５の伸縮によるシート２の前後傾斜の姿勢変化により、人体の腹筋・背筋・太もも前部・太もも後部のどの筋肉に対してどのような値の負荷がかかるようになるかの表示等を行う。なお、上記運動量はシート２に設けた加速度センサの出力もしくは予め設定してある値と動作時間と入力された体重値とを基に算出している。
【００３３】
本体１のベースフレーム１１が四隅に備える接地脚１５は、常時接地して揺動駆動の際に本体１がずれ動いたりすることを防ぐ。また、ベースフレーム１１の前端に配したキャスター９５は、この運動装置を移動させる際のもので、上記接地脚１５の方が低い位置にあるために、通常ではキャスター９５が接地することはないが、ベースフレーム１１の後端側を持ち上げて接地脚１５を床面より浮かす時、キャスター９５が接地するために移動を楽に行うことができる。
【００３４】
また、この移動時、持ち上げるベースフレーム１１の後端側から電源コード９６が導出されているために、キャスター９５と同じ側から電源コード９６が導出されている場合のように、電源コード９６の導出部近傍が床面に接してしまったり、移動に伴って電源コード９６がキャスター９５に巻き込まれてしまうというようなことがなく、また、電源コードをいったん抜いたりしなくても容易に移動させることができる。図示例とは逆にキャスター９５を後端側に配し、電源コード９６を前端側から導出させてもよいのはもちろんである。
【図面の簡単な説明】
【００３５】
【図１】本発明の実施の形態の一例の斜視図である。
【図２】(a)(b)は同上の平面図と右側面図である。
【図３】同上の正面図である。
【図４】(a)(b)は同上の動作説明図である。
【図５】同上の本体部の分解斜視図である。
【図６】同上のシートの分解斜視図である。
【図７】同上の駆動部の分解斜視図である。
【図８】同上の駆動部の斜視図である。
【図９】同上の駆動部の側面図である。
【図１０】同上の駆動部の分解斜視図である。
【図１１】同上の操作パネルの正面図である。
【符号の説明】
【００３６】
１  本体
２  シート
３  駆動部
１１  ベースフレーム
１５  接地脚
１６  ベースカバー
９５  キャスター
９６  電源コード
【図１】
2009077829.tif 000003
【図２】
2009077829.tif 000004
【図３】
2009077829.tif 000005
【図４】
2009077829.tif 000006
【図５】
2009077829.tif 000007
【図６】
2009077829.tif 000008
【図７】
2009077829.tif 000009
【図８】
2009077829.tif 000010
【図９】
2009077829.tif 000011
【図１０】
2009077829.tif 000012
【図１１】
2009077829.tif 000013